(57)【特許請求の範囲】
【請求項１】
壁の一側面に固定され、有線又は無線のネットワーク通信機能を有する壁掛け型デジタルディスプレイ装置において、
前記コンテンツを表示するためのディスプレイパネルを前方端に備えた本体と、
前記本体の下端に着脱可能に取り付けられ、電子カタログサービスを含むコンテンツの運営のためのタッチスクリーンユニットとを含んでなり、
前記ディスプレイパネルは、一つのパネルを上下または左右に区画し、それぞれ３次元コンテンツと２次元コンテンツが表示されるように構成され、
前記タッチスクリーンユニットが、
電子カタログサービスを申請するユーザー命令の入力を受けるためのタッチスクリーンと、
前記タッチスクリーンの一側に設けられ、カードを読み取って会員認証を行うための磁気カードリーダーユニットおよびＲＦＩＤカードリーダーユニットと、
前記タッチスクリーンの一側に設けられ、名刺挿入によって関連情報をスキャンして訪問者の情報をデータ化するための名刺リーダーユニットとを含むことを特徴とする、壁掛け型デジタルディスプレイ装置。
【請求項２】
前記タッチスクリーンユニットは、その結合部が前記本体の下部両端の開口部との結合によって前記本体に着脱されることを特徴とする、請求項１に記載の壁掛け型デジタルディスプレイ装置。
【請求項３】
前記本体の下端には、前記タッチスクリーンユニットへのデータ信号の伝送および電源供給のための信号スロットと電源スロットが設けられたことを特徴とする、請求項１に記載の壁掛け型デジタルディスプレイ装置。
【請求項４】
前記タッチスクリーンユニットの上端には、前記本体の下端に設けられた信号スロットと電源スロットからデータ信号および電源の供給を受けるための信号スロット連結ユニットと電源連結ユニットが設けられたことを特徴とする、請求項３に記載の壁掛け型デジタルディスプレイ装置。
【請求項５】
前記本体の上端に設けられ、広告の露出度を測定するためのカメラをさらに含むことを特徴とする、請求項１に記載の壁掛け型デジタルディスプレイ装置。
【請求項６】
壁の一側面に固定され、有線又は無線のネットワーク通信機能を有する壁掛け型デジタルディスプレイ装置において、
前記コンテンツを表示するためのディスプレイパネルを前方端に備えた本体と、
前記本体の一側に着脱可能に取り付けられ、電子カタログサービスを含むコンテンツの運営のためのタッチスクリーンユニットとを含んでなり、
前記ディスプレイパネルは、一つのパネルを上下または左右に区画し、それぞれ３次元コンテンツと２次元コンテンツが表示されるように構成され、
前記タッチスクリーンユニットが、
電子カタログサービスを申請するユーザー命令の入力を受けるためのタッチスクリーンと、
前記タッチスクリーンの下端に設けられ、カードを読み取って会員認証を行うための磁気カードリーダーユニットおよびＲＦＩＤカードリーダーユニットと、
前記タッチスクリーンの下端に設けられ、名刺挿入によって関連情報をスキャンして訪問者の情報をデータ化するための名刺リーダーユニットとを含むことを特徴とする、壁掛け型デジタルディスプレイ装置。
【請求項７】
前記タッチスクリーンユニットは、その結合部が前記本体の一端の開口部との結合によって前記本体に着脱されることを特徴とする、請求項６に記載の壁掛け型デジタルディスプレイ装置。
【請求項８】
前記本体の一側には、前記タッチスクリーンユニットへのデータ信号の伝送および電源供給のための信号スロットと電源スロットが設けられたことを特徴とする、請求項６に記載の壁掛け型デジタルディスプレイ装置。
【請求項９】
前記タッチスクリーンユニットの一側には、前記本体の下端に設けられた信号スロットと電源スロットからデータ信号および電源の供給を受けるための信号スロット連結ユニットと電源連結ユニットが設けられたことを特徴とする、請求項８に記載の壁掛け型デジタルディスプレイ装置。
【請求項１０】
前記本体の上端に設けられ、広告の露出度を測定するためのカメラをさらに含むことを特徴とする、請求項６に記載の壁掛け型デジタルディスプレイ装置。
【請求項１１】
前記タッチスクリーンユニットは、前記電子カタログサービス申請結果に基づいて最終生成物を出力するための印刷ユニットをさらに含むことを特徴とする、請求項１または請求項６に記載の壁掛け型デジタルディスプレイ装置。
【発明の詳細な説明】
【技術分野】
【０００１】
本発明は、壁掛け型デジタルディスプレイ装置に関し、より詳しくは、展示場で広報のためにコンテンツを表示し、ユーザーにウィジットプログラムを介して電子カタログダウンロードサービスを提供する壁掛け型デジタルディスプレイ装置に関する。
【背景技術】
【０００２】
一般に、展示場には製品に対する広報のためにカタログが備えられている。
【０００３】
カタログは、印刷物の形態であって、通常、広報するための商品の前に備えられるか、或いはしおり（ブックマーク）として存在する。
【０００４】
このような印刷物形態のカタログは、製作コストが高すぎ、大量で製作するときに制限がある。
【０００５】
印刷会社では高い製作コストのため基本的な印刷数量を指定し、製作会社別の製作コストは紙の材質および印刷方法によって異なる。その上、カタログの他に封筒などの付随資材などに対する製作コストがさらに発生する。
【０００６】
また、カタログは、数量が限定されているので１日の配布数量を定めなければならない。展示会の初期に全てのカタログの在庫がなくなってしまった場合、残った展示会期間には配布することができなくなり、或いは追加製作するとしても、残った展示会の日程に合わせることができない可能性があり、追加製作期間にはカタログを配布することができないという問題点がある。
【０００７】
一方、展示会終了後の残ったカタログは、追って営業用として活用することもあるが、新規製品などの追加情報などが発生したら使用することができなくなり、廃棄処分されることもある。
【発明の概要】
【発明が解決しようとする課題】
【０００８】
本発明は、上述した問題点を解決するためのもので、その目的は、展示会上でデジタル画面にて製品を含む各種コンテンツを様々な形で広報することができると同時に、電子カタログダウンロードサービスを申請することができる、壁掛け型デジタルディスプレイ装置を提供することにある。
【０００９】
また、本発明の他の目的は、名刺リーダーを介して訪問客に対するデータベースを確保することができる、壁掛け型デジタルディスプレイ装置を提供することにある。
【００１０】
また、本発明の別の目的は、壁掛け用に構成され、展示場の空間を十分に活用することができる、壁掛け型デジタルディスプレイ装置を提供することにある。
【００１１】
また、本発明の別の目的は、訪問客の需要に応じてカタログを伝送することによって印刷物形態での製作コストを節約することができる、壁掛け型デジタルディスプレイ装置を提供することにある。
【００１２】
また、本発明の別の目的は、３Ｄパネルと２Ｄパネルが適用されたディスプレイを介して３次元コンテンツと２次元コンテンツを選択的に表示することができる、壁掛け型デジタルディスプレイ装置を提供することにある。
【課題を解決するための手段】
【００１３】
上記目的は、壁の一側面に固定され、有線又は無線のネットワーク通信機能を有する壁掛け型デジタルディスプレイ装置において、前記コンテンツを表示するためのディスプレイパネルと、前記ディスプレイパネルの下端に設けられ、電子カタログサービスを申請するユーザー命令の入力を受けるためのタッチスクリーンと、前記タッチスクリーンの一側に設けられ、カードを読み取って会員認証を行うための磁気カードリーダーユニットおよびＲＦＩＤカードリーダーユニットと、前記タッチスクリーンの一側に設けられ、名刺挿入によって関連情報をスキャンして訪問者の情報をデータ化するための名刺リーダーユニットとを含んでなる、壁掛け型デジタルディスプレイ装置により達成される。
【００１４】
また、本発明によれば、前記ディスプレイパネルの上端に設けられ、広告の露出度を測定するためのカメラをさらに含むことを特徴とする。
【００１５】
上記目的は、壁の一側面に固定され、有線又は無線のネットワーク通信機能を有する壁掛け型デジタルディスプレイ装置において、前記コンテンツを表示するためのディスプレイパネルと、前記ディスプレイパネルの一側に設けられ、電子カタログサービスを申請するユーザー命令の入力を受けるためのタッチスクリーンと、前記タッチスクリーンの下端に設けられ、カードを読み取って会員認証を行うための磁気カードリーダーユニットおよびＲＦＩＤカードリーダーユニットと、前記タッチスクリーンの下端に設けられ、名刺挿入によって関連情報をスキャンして訪問者の情報をデータ化するための名刺リーダーユニットとを含んでなる、壁掛け型デジタルディスプレイ装置により達成される。
【００１６】
また、本発明によれば、前記ディスプレイパネルの上端に設けられ、広告の露出度を測定するためのカメラをさらに含むことを特徴とする。
【００１７】
また、本発明によれば、前記電子カタログサービス申請結果に基づいて、最終生成物を出力するための印刷ユニットをさらに含むことを特徴とする。
【００１８】
上記目的は、壁の一側面に固定され、有線又は無線のネットワーク通信機能を有する壁掛け型デジタルディスプレイ装置において、前記コンテンツを表示するためのディスプレイパネルを前方端に備えた本体と、前記本体の下端に着脱可能に取り付けられ、電子カタログサービスを含むコンテンツの運営のためのタッチスクリーンユニットとを含んでなり、前記タッチスクリーンユニットが、電子カタログサービスを申請するユーザー命令の入力を受けるためのタッチスクリーンと、前記タッチスクリーンの一側に設けられ、カードを読み取って会員認証を行うための磁気カードリーダーユニットおよびＲＦＩＤカードリーダーユニットと、前記タッチスクリーンの一側に設けられ、名刺挿入によって関連情報をスキャンして訪問者の情報をデータ化するための名刺リーダーユニットとを含む、壁掛け型デジタルディスプレイ装置によって達成される。
【００１９】
また、本発明によれば、前記タッチスクリーンユニットは、その結合部が前記本体の下部両端の開口部との結合によって前記本体に着脱されることを特徴とする。
【００２０】
また、本発明によれば、前記本体の下端には、前記タッチスクリーンユニットへのデータ信号の伝送および電源供給のための信号スロットと電源スロットが設けられたことを特徴とする。
【００２１】
また、本発明によれば、前記タッチスクリーンユニットの上端には、前記本体の下端に設けられた信号スロットと電源スロットからデータ信号および電源の供給を受けるための信号スロット連結ユニットと電源連結ユニットが設けられたことを特徴とする。
【００２２】
また、本発明によれば、前記本体の上端に設けられ、広告の露出度を測定するためのカメラをさらに含むことを特徴とする。
【００２３】
また、上記目的は、壁の一側面に固定され、有線又は無線のネットワーク通信機能を有する壁掛け型デジタルディスプレイ装置において、前記コンテンツを表示するためのディスプレイパネルを前方端に備えた本体と、前記本体の一側に着脱可能に取り付けられ、電子カタログサービスを含むコンテンツの運営のためのタッチスクリーンユニットとを含んでなり、前記タッチスクリーンユニットが、電子カタログサービスを申請するユーザー命令の入力を受けるためのタッチスクリーンと、前記タッチスクリーンの下端に設けられ、カードを読み取って会員認証を行うための磁気カードリーダーユニットおよびＲＦＩＤカードリーダーユニットと、前記タッチスクリーンの下端に設けられ、名刺挿入によって関連情報をスキャンして訪問者の情報をデータ化するための名刺リーダーユニットとを含む、壁掛け型デジタルディスプレイ装置によって達成される。
【００２４】
また、本発明によれば、前記タッチスクリーンユニットは、その結合部が前記本体の一端の開口部との結合によって前記本体に着脱されることを特徴とする。
【００２５】
また、本発明によれば、前記本体の一側には、前記タッチスクリーンユニットへのデータ信号の伝送および電源供給のための信号スロットと電源スロットが設けられたことを特徴とする。
【００２６】
また、本発明によれば、前記タッチスクリーンユニットの一側には、前記信号スロットと前記電源スロットに対応するように、前記本体の一側に設けられた信号スロットと電源スロットからデータ信号および電源の供給を受けるための信号スロット連結ユニットと電源連結ユニットが設けられたことを特徴とする。
【００２７】
また、本発明によれば、前記本体の上端に設けられ、広告の露出度を測定するためのカメラをさらに含むことを特徴とする。
【００２８】
また、本発明によれば、前記タッチスクリーンユニットは、前記電子カタログサービス申請結果に基づいて最終生成物を出力するための印刷ユニットをさらに含むことを特徴とする。
【００２９】
また、本発明によれば、前記ディスプレイ部は、３Ｄおよび２Ｄの少なくとも一つで構成され、３Ｄコンテンツおよび２Ｄコンテンツの中から任意に選択して表示することを特徴とする。
【００３０】
また、本発明によれば、前記電子カタログサービスは、ウィジットプログラムを介して電子カタログのダウンロードを提供し、展示会の情報をリアルタイムで提供することを特徴とする。
【発明の効果】
【００３１】
本発明の壁掛け型デジタルディスプレイ装置によれば、展示会場において、製品を含むコンテンツを多様々な形で広報することができるとともに、電子メールでウィジットプログラムを受信し、電子カタログをダウンロードすることができ、展示会の関連情報もリアルタイムで確認することができるという効果がある。
【００３２】
また、本発明の壁掛け型デジタルディスプレイ装置によれば、名刺リーダーを介して訪問客に対するデータベースを確保することができるという効果がある。
【００３３】
また、本発明の壁掛け型デジタルディスプレイ装置によれば、壁掛け型に構成され、展示会の空間を十分に活用することができるという効果がある。
【００３４】
また、本発明の壁掛け型デジタルディスプレイ装置によれば、サーバーに格納された電子カタログが訪問客の要請に応えて伝送されるから、需要に応じる伝送によって、印刷物形態での製作コストの浪費を防ぐことができるという効果がある。
【図面の簡単な説明】
【００３５】
【図１】本発明の実施例に係る縦タイプの壁掛け型デジタルディスプレイ装置を示す図である。
【図２】本発明の実施例に係る横タイプの壁掛け型デジタルディスプレイ装置を示す図である。
【図３】本発明の実施例に係る分離が可能な縦タイプの壁掛け型デジタルディスプレイ装置を示す図である。
【図４】本発明の実施例に係る分離が可能な横タイプの壁掛け型デジタルディスプレイ装置を示す図である。
【発明を実施するための形態】
【００３６】
本明細書および請求の範囲に使用された用語または単語は、通常的或いは辞典的な意味に限定して解釈されてはならず、発明者が発明の内容を最善の方法で説明するために用語の概念を適切に定義することができるという原則に基づき、本発明における用語は本発明の技術的思想に符合する意味と概念で理解および解釈されなければならない。
【００３７】
本明細書の実施例と図面に開示された構造は、本発明の最も好適な一実施例に過ぎないもので、本発明の技術的思想を全て含むものではない。よって、本出願は本発明を代替することが可能な実質的に同等の各種事物または変形例などを含むということを理解すべきである。
【００３８】
以下に添付図面を参照しながら、本発明の好適な実施例を詳細に説明する。
【００３９】
図１は本発明の実施例に係る縦タイプの壁掛け型デジタルディスプレイ装置を示す図、図２は本発明の実施例に係る横タイプの壁掛け型デジタルディスプレイ装置を示す図である。
【００４０】
本発明の壁掛け型ディスプレイ装置は、所謂デジタル情報ディスプレイ(Digital Information Display、ＤＩＤ)であって、銀行、デパート、ショッピングセンター、空港、ホテル、展示場などの室内および室外に設置され、各種案内情報と共に広告、映像および音響を提供するのに適したデジタルディスプレイ装置であると同時に、広告掲示が可能な情報サービス機能付き複合映像媒体である。ＲＦＩＤ(Radio Frequency Identification)は、ＩＣチップと無線通信を介して製品、食品、動物、事物などの各種個体の情報を管理することが可能な次世代認識技術であって、最近ではクレジットカード、交通カードなどの電子料金支払システムまたは出入り統制システムに普遍的に用いられる。
【００４１】
それだけでなく、本発明の壁掛け型デジタルディスプレイ装置は、展示場に設置して運営するためのデジタル情報ディスプレイであって、コンテンツを表示するための機能だけでなく、電子カタログのダウンロードを申請するための手段としても用いられる。
【００４２】
電子カタログは、製品を広報しなければならない展示会参加会社或いは展示場側から、電子カタログサービスを運営する会社に製作要請をして、予め電子カタログ製作作業を完了してサーバーに格納しておくことが好ましい。
【００４３】
前記電子カタログサービスは、訪問客からデジタルディスプレイ装置に電子カタログの電子メール受信の要請が入力されると、電子カタログ発送申請信号がサーバーへ伝送され、サーバーに格納された電子カタログファイルが、要請された電子メールアドレスへ伝送されるアルゴリズムで提供可能である。
【００４４】
したがって、サーバーに格納された電子カタログは、訪問客の要請に応えて必要な回数だけ伝送されるから、印刷物形態での製作コストの浪費を防ぐことができる。
【００４５】
展示会の観覧を終えてユーザー端末機を介して電子カタログを電子メールで受信するが、電子メールの受信と同時に電子カタログウィジットプログラムが設置され、リアルタイムで展示会関連情報も確認することができ、申請した電子カタログもダウンロードすることができる。
【００４６】
図１を参照すると、本発明の壁掛け型デジタルディスプレイ装置は、コンテンツを表示するためのディスプレイパネル２０と、前記ディスプレイパネル２０の下端に設けられ、電子カタログサービスを申請するユーザー命令の入力を受けるためのタッチスクリーン１２０と、前記タッチスクリーン１２０の右側に設けられ、カードを読み取って会員認証を行うための磁気カードリーダーユニット１０６およびＲＦＩＤカードリーダーユニット１１２と、前記磁気カードリーダーユニット１０６およびＲＦＩＤカードリーダーユニット１１２の下端に設けられ、名刺挿入によって関連情報をスキャンして訪問者の情報をデータ化するための名刺リーダーユニット１０４と、電子カタログサービス申請結果に基づいて最終生成物を出力するための印刷ユニット１０５とを含んでなり、これと同時に、前記ディスプレイパネル２０の上端には広告の露出度を測定するためのカメラ３０が配置される構造を持つ。
【００４７】
図２を参照すると、本発明の壁掛け型デジタルディスプレイ装置は、コンテンツを表示するためのディスプレイパネル２０と、前記ディスプレイパネル２０の右側に設けられ、電子カタログサービスを申請するユーザー命令の入力を受けるためのタッチスクリーン１２０と、前記タッチスクリーン１２０の下端に設けられ、カードを読み取って会員認証を行うための磁気カードリーダーユニット１０６およびＲＦＩＤカードリーダーユニット１１２と、前記磁気カードリーダーユニット１０６およびＲＦＩＤカードリーダーユニット１１２の下端に設けられ、名刺挿入によって関連情報をスキャンして訪問者の情報をデータ化するための名刺リーダーユニット１０４と、電子カタログサービス申請結果に基づいて最終生成物を出力するための印刷ユニット１０５とを含んでなり、これと同時に、前記ディスプレイパネル２０の上端には広告の露出度を測定するためのカメラ３０が配置される構造を持つ。
【００４８】
前記壁掛け型デジタルディスプレイ装置は、図示してはいないが、壁の一側に固定され、有線又は無線のネットワーク通信が可能なモジュールを搭載してサーバーから遠隔制御が可能であり、前記カメラ３０を介して露出情報を伝送することができることが好ましい。
【００４９】
前記壁掛け型デジタルディスプレイ装置は、電子カタログ申請のためのプログラムが内蔵されており、Ｗｅｂブラウザの形でオンライン電子メール申請ができるように構成されることが好ましい。
【００５０】
前記ディスプレイパネル２０に３Ｄ用フィルムおよびスクリーンを適用すると、３Ｄコンテンツの運営が可能となる。
【００５１】
一方、図示してはいないが、前記ディスプレイパネル２０は、２つ以上の独立した３Ｄ、２Ｄパネルから構成でき、この場合、それぞれのディスプレイパネルを介して３次元コンテンツと２次元コンテンツを選択的に利用することができる。それだけでなく、一つのパネルを上下または左右に区画し、互いに異なる次元のコンテンツが表示されるように構成することができる。
【００５２】
前記名刺リーダーユニット１０４は、名刺投入口に挿入される名刺に対して、名刺に入ったイメージをテキスト形式で認識し、訪問客の情報をファイルとして格納してデータベースに収容する。
【００５３】
前記名刺リーダーユニット１０４を用いて展示場訪問客のリストを自動生成することができる。
【００５４】
図３は本発明の実施例に係る分離が可能な縦タイプの壁掛け型デジタルディスプレイ装置を示す図、図４は本発明の実施例に係る分離が可能な横タイプの壁掛け型デジタルディスプレイ装置を示す図である。
【００５５】
図３に示した分離が可能な縦タイプの壁掛け型デジタルディスプレイ装置は、コンテンツを表示するためのディスプレイパネルを前方端に備えた本体１０と、前記本体１０の下端に着脱可能に取り付けられ、電子カタログサービスコンテンツの運営を含むタッチスクリーンユニット１００を含んでなるが、前記タッチスクリーンユニット１００は、その結合部１４５が前記本体１０の下部両端の開口部１５０と結合して前記本体１０に着脱される。
【００５６】
前記結合部１４５は、前記本体１０に設けられた開口部１５０にタッチスクリーンユニット１００の一側部が挿入されて貫通孔１４２と前記開口部１５０内の連結孔１５２とが一致するときにねじ１４０をねじ込んで結合させる。
【００５７】
前記本体１０の下端には、前記タッチスクリーンユニット１００へのデータ信号の伝送および電源供給のための信号スロット１６０と電源スロット１６２が設けられており、前記タッチスクリーンユニット１００の上端には、前記本体１０の下端に設けられた信号スロット１６０と電源スロット１６２からデータ信号および電源の供給を受けるための信号スロット連結ユニット１４４と電源連結ユニット１４６が設けられている。
【００５８】
図４に示した分離が可能な横タイプの壁掛け型デジタルディスプレイ装置は、コンテンツを表示するためのディスプレイパネルを前方端に備えた本体１０と、前記本体１０の右側部に着脱可能に取り付けられ、電子カタログサービスコンテンツの運営を含むタッチスクリーンユニット１００とを含んでなるが、前記タッチスクリーンユニット１００は、その結合部１４５が前記本体１０の左右両端の開口部１５０と結合して前記本体１０に着脱される。
【００５９】
前記結合部１４５は、前記本体１０に設けられた開口部１５０にタッチスクリーンユニット１００の一側部が挿入されて貫通孔１４２と前記本体１０の開口部１５０の連結孔１５２とが一致するときにねじ１４０をねじ込んで結合させる。
【００６０】
前記本体１０の右側には、前記タッチスクリーンユニット１００へのデータ信号の伝送および電源供給のための信号スロット１６０と電源スロット１６２が設けられており、これらに対応するように、前記タッチスクリーンユニット１００の左側には前記本体１０の下端に設けられた信号スロット１６０と電源スロット１６２からデータ信号および電源の供給を受けるための信号スロット連結ユニット１４４と電源連結ユニット１４６が設けられている。
【００６１】
デジタルディスプレイ装置の設置空間によれば、前記ネジ１４０の螺挿でのみ着脱可能である。
【００６２】
前記結合部１４５は、ネジ１４０を使った結合形態だけでなく、弾力クリップ構造によっても着脱可能であり、その他様々な結合形態で構成してもよい。
【００６３】
図３および図４に示す実施例のように、タッチスクリーンユニット１００が本体１０に結合するとき、本体１０の開口部１５０の内側に設けられた信号スロット１６０および電源スロット１６２が、結合部１４５の前方端に設けられた信号スロット連結ユニット１４４および電源連結ユニット１４６に嵌合されて、本体１０とタッチスクリーンユニット１００との信号送受信によってコンテンツを伝送することができ、前記タッチスクリーンユニット１００を介して電源を供給することができる。よって、別途の独立した電源線が不要である。
【００６４】
分離可能な壁掛け型デジタルディスプレイ装置を提供することにより、空間が狭い場合にはタッチスクリーンユニット１００を除去した後で設置することができ、電子カタログを前記タッチスクリーンユニット１００が結合した装置で申請することができるようにすることにより、展示館の空間に応じてフレキシブルに調節することができる。
【００６５】
訪問客は、前記壁掛け型デジタルディスプレイ装置を介して製品の内容を確認し、前記タッチスクリーンユニット１００に設けられた磁気カードリーダーユニット１０６またはＲＦＩＤカードリーダーユニット１１２でカードを認識させて会員認証を行い、該当製品に対する詳細情報を確認することができ、タッチスクリーン１２０で表示される電子カタログ申請画面を介して本人の電子メールアドレスを入力して電子カタログを申請することができるうえ、製品を実際に購買することも可能である。
【００６６】
印刷ユニット１０５を介して、電子カタログサービス申請の結果に基づいて、最終生成物の出力および普及を目的とするプロモーションへの参加の際にプレゼントとして与えられるクーポン、割引券および略図、積立内訳、およびコンテンツ情報の少なくとも一つを含む印刷物の出力が可能である。
【００６７】
前述した実施例と同様に、タッチスクリーンユニット１００には、名刺投入口に挿入される名刺に入ったイメージを文字として認識し、訪問客の情報をファイルとしてデータベースに格納するための名刺リーダーユニット１０４が設けられる。よって、前記名刺リーダーユニット１０４を用いて展示場訪問客のリストを自動生成することができる。
【００６８】
また、前記ディスプレイパネル２０を備えた前記本体１０の上端には、広告の露出度を測定するためのカメラ３０が配置される。
【００６９】
本発明は、上述したように好適な実施例を挙げて図示し説明したが、これらの実施例に限定されるものではなく、本発明の精神から外れない範囲内において、当該発明の属する技術分野における通常の知識を有する者によって、本発明の技術思想と特許請求の範囲の均等範囲内で様々な修正および変形が可能である。
【符号の説明】
【００７０】
１０    本体
２０    ディスプレイパネル
３０    カメラ
１００    タッチスクリーンユニット
１０４    名刺リーダーユニット
１０５    印刷ユニット
１０６    磁気カードリーダーユニット
１１２    ＲＦＩＤカードリーダーユニット
１２０    タッチスクリーン
【図１】
0005288358.tif 000002
【図２】
0005288358.tif 000003
【図３】
0005288358.tif 000004
【図４】
0005288358.tif 000005